(57)【要約】  残高記憶媒体と無線通信する複数の端末装置と、前記複数の端末装置のそれぞれと通信接続された決済制御装置と、を有する。前記決済制御装置は、残高更新指示と当該残高更新指示に対応する更新指示識別番号と、を含む残高更新指示情報を前記端末装置それぞれに配信する更新指示配信部を備える。前記端末装置は、前記残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う更新制御部、を備える。
2019064635.tif 000002
【特許請求の範囲】
【請求項１】
残高記憶媒体と無線通信する複数の端末装置と、前記複数の端末装置のそれぞれと通信接続された決済制御装置と、を有し、
前記決済制御装置が、
残高更新指示と当該残高更新指示に対応する更新指示識別番号と、を含む残高更新指示情報を前記端末装置それぞれに配信する更新指示配信部
を備え、
前記端末装置が、
前記残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う更新制御部、
を備える決済制御システム。
【請求項２】
前記決済制御装置は、
前記残高更新指示ごとに前記更新指示識別番号を順に決定し、前記残高更新指示と前記決定した更新指示識別番号とを含む前記残高更新指示情報を生成する更新指示生成部を備える
請求項１に記載の決済制御システム。
【請求項３】
前記決済制御装置は、
前記端末装置から前記残高更新処理の完了通知を受信し、当該完了通知を送信した端末装置とは異なる端末装置に、当該更新指示識別番号を含む残高更新指示情報の破棄要求を送信する指示破棄要求部と、
を備える請求項１または請求項２に記載の決済制御システム。
【請求項４】
前記決済制御装置は、
前記端末装置との通信接続の監視を行う通信接続監視部を備え、
前記更新指示配信部は、前記監視に基づいて自装置との間で通信接続が成功している前記端末装置に対して前記残高更新指示情報を送信する
請求項１から請求項３の何れか一項に記載の決済制御システム。
【請求項５】
前記更新指示配信部は、前記残高記憶媒体の移動範囲に基づいて、前記残高記憶媒体の媒体識別情報を含む前記残高更新指示情報の送信先の複数の前記端末装置を決定する
請求項１から請求項４の何れか一項に記載の決済制御システム。
【請求項６】
前記残高更新指示と、昇順に決定された更新指示識別番号とを含む残高更新指示情報が生成される場合、
前記端末装置の前記更新制御部は、
取得した前記残高記憶媒体に記録された前記更新指示識別番号よりも、前記残高更新指示情報に含まれる前記更新指示識別番号が大きい場合に、前記残高更新処理を行う
請求項１から請求項３の何れか一項に記載の決済制御システム。
【請求項７】
残高更新指示と当該残高更新指示に対応する更新指示識別番号と、を含む残高更新指示情報を、残高記憶媒体と無線通信する複数の端末装置それぞれに配信する更新指示配信部、
を備える決済制御装置。
【請求項８】
決済制御装置から、残高更新指示と当該残高更新指示に対応する更新指示識別番号とを含む残高更新指示情報を受信する更新指示受信部と、
残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う更新制御部と、
を備える端末装置。
【請求項９】
残高記憶媒体と無線通信する複数の端末装置と、前記複数の端末装置のそれぞれと通信接続された決済制御装置と、を有する決済制御システムの決済制御方法において、
前記決済制御装置が、
残高更新指示と当該残高更新指示に対応する更新指示識別番号と、を含む残高更新指示情報を前記端末装置それぞれに配信し、
前記端末装置が、
前記残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う
決済制御方法。
【請求項１０】
残高更新指示と当該残高更新指示に対応する更新指示識別番号と、を含む残高更新指示情報を、残高記憶媒体と無線通信する複数の端末装置それぞれに配信する
決済制御方法。
【請求項１１】
決済制御装置から、残高更新指示と当該残高更新指示に対応する更新指示識別番号とを含む残高更新指示情報を受信し、
残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う
処理方法。
【請求項１２】
決済制御装置のコンピュータに、
残高更新指示と当該残高更新指示に対応する更新指示識別番号と、を含む残高更新指示情報を、残高記憶媒体と無線通信する複数の端末装置それぞれに配信する、
処理を実行させるプログラム。
【請求項１３】
端末装置のコンピュータに、
決済制御装置から、残高更新指示と当該残高更新指示に対応する更新指示識別番号とを含む残高更新指示情報を受信し、
残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う、
処理を実行させるプログラム。
【発明の詳細な説明】
【技術分野】
【０００１】
本発明は、決済制御システム、決済制御装置、端末装置、決済制御方法、処理方法、プログラムに関する。
【背景技術】
【０００２】
ユーザが残高記憶カードを保有し、銀行等の金融機関に残高を記録する代わりに残高記憶カードに残高を記憶して携帯し、その残高記憶カードを用いて購入商品の決済を行う技術が利用されている。この技術に関連する技術が特許文献１に開示されている。特許文献１の技術は、電子マネー記録媒体から取引履歴を読み出して取引の決済を行う取引装置と、取引管理装置との間で障害が発生しても、その障害の影響を可能な限り受けずにポイント算出を行うことを可能とした技術である。
【先行技術文献】
【特許文献】
【０００３】
【特許文献１】特開２００７−１２２０９９号公報
【発明の概要】
【発明が解決しようとする課題】
【０００４】
ところで上述のような技術において、残高記憶カードと非接触通信等の通信を行い決済の代行を行う遠隔の各地に配置される端末装置と、それら複数の端末装置と通信接続して決済を管理する中央の決済制御装置との間でも通信障害は発生する。そのような技術において決済制御装置は残高記憶カードに対して入金や出金などの残高更新指示を適切に行い残高記憶カードの残高が更新される必要がある。端末装置と決済制御装置との間の通信接続が不安定な状況となることが多い地域においても、決済制御装置が指示を受けた残高更新指示に基づいて、決済制御装置は残高記憶カードの残高を適切に更新する必要がある。【０００５】
そこでこの発明は、上述の課題を解決することのできる決済制御システム、決済制御装置、端末装置、決済制御方法、処理方法、プログラムを提供することを目的としている。
【課題を解決するための手段】
【０００６】
本発明の第１の態様によれば、決済制御システムは、残高記憶媒体と無線通信する複数の端末装置と、前記複数の端末装置のそれぞれと通信接続された決済制御装置と、を有する。前記決済制御装置は、残高更新指示と当該残高更新指示に対応する更新指示識別番号と、を含む残高更新指示情報を前記端末装置それぞれに配信する更新指示配信部を備える。前記端末装置は、前記残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う更新制御部、を備える。【０００７】
本発明の第２の態様によれば、決済制御装置は、残高更新指示と当該残高更新指示に対応する更新指示識別番号と、を含む残高更新指示情報を、残高記憶媒体と無線通信する複数の端末装置それぞれに配信する更新指示配信部、を備える。【０００８】
本発明の第３の態様によれば、端末装置は、決済制御装置から、残高更新指示と当該残高更新指示に対応する更新指示識別番号とを含む残高更新指示情報を受信する更新指示受信部と、残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う更新制御部と、を備える。【０００９】
本発明の第４の態様によれば、残高記憶媒体と無線通信する複数の端末装置と、前記複数の端末装置のそれぞれと通信接続された決済制御装置と、を有する決済制御システムの決済制御方法において、前記決済制御装置が、残高更新指示と当該残高更新指示に対応する更新指示識別番号と、を含む残高更新指示情報を前記端末装置それぞれに配信し、前記端末装置が、前記残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う。【００１０】
本発明の第５の態様によれば、決済制御方法は、残高更新指示と当該残高更新指示に対応する更新指示識別番号と、を含む残高更新指示情報を、残高記憶媒体と無線通信する複数の端末装置それぞれに配信する。【００１１】
本発明の第６の態様によれば、処理方法は、決済制御装置から、残高更新指示と当該残高更新指示に対応する更新指示識別番号とを含む残高更新指示情報を受信し、残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う。【００１２】
本発明の第７の態様によれば、プログラムは、決済制御装置のコンピュータに、残高更新指示と当該残高更新指示に対応する更新指示識別番号と、を含む残高更新指示情報を、残高記憶媒体と無線通信する複数の端末装置それぞれに配信する処理を実行させる。【００１３】
本発明の第８の態様によれば、プログラムは、端末装置のコンピュータに、決済制御装置から、残高更新指示と当該残高更新指示に対応する更新指示識別番号とを含む残高更新指示情報を受信し、残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う、処理を実行させる。
【発明の効果】
【００１４】
本発明によれば、端末装置と決済制御装置との間の通信接続が不安定な状況となることが多い地域においても、決済制御装置が指示を受けた残高更新指示に基づいて、決済制御装置は残高記憶カードの残高を適切に更新することができる。
【図面の簡単な説明】
【００１５】
【図１】本実施の形態による決済制御システムの概要図である。
【図２】決済制御装置のハードウェア構成図である。
【図３】決済制御装置、ＰＯＳ端末の各機能ブロック図である。
【図４】決済制御システムの処理フローを示す第一の図である。
【図５】決済制御システムの処理フローを示す第二の図である。
【図６】決済制御装置の最小構成を示す図である。
【図７】端末装置の最小構成を示す図である。
【発明を実施するための形態】
【００１６】
以下、本発明の一実施形態による決済制御システムを図面を参照して説明する。
図１は本実施の形態による決済制御システムの概要図である。
この図で示すように決済制御システム１００は、決済制御装置１と複数のＰＯＳ（Point Of Sales System）端末２とが通信ネットワークを介して接続されている。ＰＯＳ端末２は一例としては店舗に設置されている。ＰＯＳ端末２は店舗に来店したユーザの所持する残高記憶カード３と非接触通信を行う。残高記憶カード３は例えばＩＣカードなどのＲＦＩＤ技術を用いて非接触通信により情報を送受信、蓄積する記録媒体である。本実施形態においては残高記憶カード３を用いて説明するが、記憶媒体であれば残高記憶カード３を他のどのようなものに代えてもよい。残高記憶カード３には通常は銀行等の金融機関のサーバに記録されるユーザの所持金の座高が記録される。ユーザは残高が記録され残高記憶カード３を用いて店舗において購入商品の決済を行う。具体的には、ユーザは店舗で手に取った購入商品を店員に見せると共に、店員がＰＯＳ端末２に入力した商品の金額の決済に、残高記憶カード３に記録される所持金の残高を利用する。ユーザは残高記憶カード３をＰＯＳ端末２に翳す。この時、ＰＯＳ端末２と残高記憶カード３とは非接触通信を行い残高記憶カード３に記録されている残高から商品の金額を差し引く決済処理を連携して行う。
【００１７】
このような決済制御システム１００において、例えばユーザの雇用者や管理団体が給料や給付金をユーザに支払うための指示を決済制御装置１に出したり、決済代行業者がユーザの残高から決済金額を引き落とすための指示を決済制御装置１に出したりすることが考えられる。このような指示を行う雇用者や管理団体、決済代行業者などの残高更新指示元は自身の指示端末４を用いて残高更新指示を決済制御装置１へ送信する。なお残高更新指示は、ユーザの識別情報であるユーザＩＤ、入金処理または出金処理の何れかを示す残高更新指示の種別、入金処理または出金処理を行う金額、などを含む。残高更新指示を指示端末４から決済制御装置１へ送信するよう指示端末４が操作される。これにより指示端末４は残高更新指示を決済制御装置１へ送信する。指示端末４はパーソナルコンピュータや携帯端末などであってよい。
【００１８】
ここで決済制御装置１とＰＯＳ端末２との距離が遠く、決済制御システム１００が通信環境の発展していない地域に敷設されているような場合には、決済制御装置１とＰＯＳ端末２との間の通信が途絶えることが考えられる。このような場合でも決済制御装置１は指示端末４から受信した残高更新指示に基づいて、対象となるユーザの残高記憶カード３の残高を適切な金額に更新する必要がある。以下この課題を解決する決済制御システム１００についてより具体的に説明する。
【００１９】
図２は決済制御装置のハードウェア構成図である。
決済制御装置１は、図２で示すようにＣＰＵ（Central Processing Unit）１０１、ＲＯＭ（Read Only Memory）１０２、ＲＡＭ（Random Access Memory）１０３、ＨＤＤ（Hard Disk Drive）１０４、インタフェース１０５、通信モジュール１０６、データベース装置１０７等の各ハードウェアを一例として備える。なおＰＯＳ端末２や指示端末４も同様のハードウェアを備える。ＰＯＳ端末２はこの他、残高決済カード３と非接触通信を行うＲＦＩＤ（Radio Frequency Identifier）モジュールなどを備える。ＨＤＤ１０４は、ＳＳＤ（Solid State Drive）であってもよい。
【００２０】
図３は決済制御装置、ＰＯＳ端末の各機能ブロック図である。
決済制御装置１は予め記憶する決済制御プログラムを実行する。これにより決済制御装置１は、制御部１１、更新指示取得部１２、更新指示生成部１３、更新指示配信部１４、指示破棄要求部１５、通信接続監視部１６の各機能を備える。
【００２１】
制御部１１は他の機能部を制御する。
更新指示取得部１２は、残高記憶カード３を識別するカードＩＤ（媒体識別情報）、入金または出金の何れの残高更新処理を行うのかを示す残高更新指示の種別、処理金額を少なくとも含む残高更新指示を指示端末４から取得する。
更新指示生成部１３は、残高更新指示を取得する度に、昇順の更新指示識別番号を決定する。更新指示生成部１３は、残高更新指示と決定した更新指示識別番号とを含む残高更新指示情報を生成する。
更新指示配信部１４は、残高更新指示情報を通信ネットワークを介して接続された複数のＰＯＳ端末２それぞれに配信する。
【００２２】
指示破棄要求部１５は、ＰＯＳ端末２から残高更新指示情報に基づく残高更新処理の完了通知を受信する。指示破棄要求部１５は、当該完了通知を送信したＰＯＳ端末２以外のＰＯＳ端末２に、当該完了通知に対応する残高更新処理に利用された更新指示識別番号を含む、残高更新指示情報の破棄要求を送信する。
通信接続監視部１６は、ＰＯＳ端末２との通信接続状態を監視する。なお更新指示配信部１４は、通信接続監視部１６の監視に基づいて自装置との間で通信接続が成功しているＰＯＳ端末２に対して残高更新指示情報を送信すると決定する。
【００２３】
ＰＯＳ端末２は予め記憶するＰＯＳ処理プログラムと更新処理プログラムとを実行する。これによりＰＯＳ端末２は、制御部２１、ＰＯＳ処理部２２、更新開始判定部２３、更新制御部２４の各機能を備える。
【００２４】
制御部２１は他の機能部を制御する。
ＰＯＳ処理部２２は、ＰＯＳ処理を行う。
更新開始判定部２３は、残高記憶カード３との非接触通信により当該残高記憶カード３から取得した、当該残高記憶カード３に過去に記録された更新指示識別番号を取得する。また更新開始判定部２３は、決済制御装置１から受信した残高更新指示情報を取得する。更新開始判定部２３はそれら更新指示識別番号を比較し、その比較に基づいて残高更新指示に対応する残高更新処理の開始を行うか否かを判定する。
更新制御部２４は、残高更新処理の開始を行うと判定された場合に、残高記憶カード３に記録されている残高と更新指示識別番号を、残高更新指示情報に基づいて更新する制御を行う。
【００２５】
図４は決済制御システムの処理フローを示す図である。
次に決済制御システム１００の処理フローを、順を追って説明する。
まず決済指示者が指示端末４と決済制御装置１を通信接続する操作を行う。決済制御装置１は一例としてウェブサーバの機能を備えている。決済制御装置１の制御部１１は、指示端末４からウェブサーバ機能へのアクセスに基づいて、指示端末４に決済指示ページを送信する。なおこのアクセスにおいて決済指示者は自身のＩＤやパスワードが指示端末４から決済制御装置１に送信されるよう操作する。これにより決済制御装置１は指示端末４の通信接続におけるセッションを管理し、指示端末４を操作する決済指示者の指示者ＩＤを特定する。決済指示ページは指示端末４の画面に表示される。決済指示ページでは入金または出金を示す残高更新指示の種別を選択する欄、金額の入力欄、カードＩＤの入力欄、処理開始ボタンなどが設けられている。決済指示者は指示端末４の画面に表示された決済指示ページの当該各欄において、残高更新指示の種別の選択、金額の入力、入金または出金に基づく残高更新処理の対象となる残高記憶カードのカードＩＤの入力を行い、処理開始ボタンを押下する指示端末４に対する操作を行う。指示端末４はこの操作に基づいて、選択された残高更新指示の種別（入金または出金）、金額、カードＩＤを少なくとも含む残高更新指示を決済制御装置１へ送信する（ステップＳ１０１）。
【００２６】
決済制御装置１の更新指示取得部１２は、指示端末４より残高更新指示を取得する。更新指示取得部１２は、指示端末４との間でやりとりされるセッションの情報に基づいて、予めデータベース装置１０７等で記憶している複数の決済指示者のＩＤの中から、指示端末４を操作する決済指示者のＩＤを特定する。更新指示取得部１２は、残高更新指示に含まれる残高更新指示の種別、金額、カードＩＤ、及び、特定した決済指示者のＩＤを更新指示生成部１３へ出力する。
【００２７】
更新指示生成部１３は、更新指示取得部１２から取得した残高更新指示の種別、金額、カードＩＤ、及び、特定した決済指示者のＩＤをデータベース装置１０７に格納された残高更新指示テーブルに書き込む。また更新指示生成部１３は、１つ前の更新指示情報の生成に用いた更新指示識別番号をメモリから読み取り、その更新指示識別番号に１を加えて新たな残高更新指示番号を決定する（ステップＳ１０２）。この処理は、更新指示生成部１３が、残高更新指示を取得する度に更新指示識別番号を昇順に決定する処理の一態様である。すなわち、更新指示生成部１３は、昇順にインクリメントしたユニークな更新指示識別番号を決定する。更新指示生成部１３は決定した残高更新指示番号を、対応する残高更新指示情報（残高更新指示の種別、金額、カードＩＤ、決済指示者のＩＤ）に対応付けて残高更新指示テーブルに書き込む。更新指示生成部１３は、更新指示生成部１３から取得して残高更新指示テーブルに書き込んだ残高更新指示の種別、金額、カードＩＤ、決済指示者のＩＤ、及び、決定した更新指示識別番号を含む残高更新指示情報を生成する（ステップＳ１０３）。更新指示生成部１３は更新指示配信部１４に対して残高更新指示情報の配信を要求する。
【００２８】
更新指示配信部１４は、残高更新指示情報に含まれるカードＩＤに基づいて残高更新指示情報の配信先の複数のＰＯＳ端末２を特定する（ステップＳ１０４）。配信先の複数のＰＯＳ端末２は、カードＩＤに対応付けて予めデータベース装置１０７等に記録される配信対象地域のＰＯＳ端末２であってよい。または、配信先の複数のＰＯＳ端末２は、決済制御装置１に接続される全てのＰＯＳ端末２であってもよい。または、配信先の複数のＰＯＳ端末２は、現在時刻において通信接続が可能な全てのまたはカードＩＤに対応する配信地域に設置されているＰＯＳ端末２であってもよい。
更新指示配信部１４は、特定した配信先の複数のＰＯＳ端末２へ残高更新指示情報を配信する（ステップＳ１０５）。更新指示配信部１４は、配信先のＰＯＳ端末２のうち、障害なく通信接続できている１つまたは複数のＰＯＳ端末２に先の残高更新指示情報を配信する。更新指示配信部１４は、障害が発生したことにより通信接続ができない１つまたは複数のＰＯＳ端末２には、後から残高更新指示情報を送信するようにしてもよい。
【００２９】
ＰＯＳ端末２の制御部２１は残高更新指示情報をＨＤＤ１０４等に記録する。ＰＯＳ端末２はその残高更新指示情報を用いた残高更新処理を、更新指示情報に含まれるカードＩＤの残高記憶カード３と通信した場合に行う。なお残高更新指示情報は、複数のＰＯＳ端末２に配信される。このため、それら配信先の全てのＰＯＳ端末２において残高更新指示情報が記憶される。以下、あるＰＯＳ端末２において残高更新処理を行う場合の処理について説明する。
【００３０】
ＰＯＳ端末２のＰＯＳ処理部２２は来店者の購入商品の決済処理を行う。この時、来店者は自身が所持する残高記憶カード３をＰＯＳ端末２に翳す。ＰＯＳ端末２のＰＯＳ処理部２２は、残高記憶カード３とは非接触通信を行い残高記憶カード３に記録されている残高から商品の金額を差し引く決済処理を連携して行う。このＰＯＳ処理部２２における決済処理は従来の技術が利用されればよい。
ＰＯＳ処理部２２は決済処理の完了後、または決済処理の開始前に残高更新処理の有無についての確認を更新開始判定部２３に指示する。なおＰＯＳ端末２のＰＯＳ処理部２２が決済処理を行わない場合であっても、制御部２１が、更新開始判定部２３に対して、非接触通信を行った残高記憶カード３の残高更新処理の有無の確認を指示する。その後、以下で説明する残高更新処理が行われてもよい。
【００３１】
更新開始判定部２３は残高記憶カード３のカードＩＤと更新指示識別番号ｂを取得する（ステップＳ１００）。更新開始判定部２３はカードＩＤを、ＰＯＳ処理部２２から受け取ってもよいし、新たに残高記憶カード３と非接触通信の接続を制御して残高記憶カード３から取得してもよい。更新開始判定部２３はカードＩＤに基づいて、決済制御装置１がそのカードＩＤを含む残高更新指示情報を記憶しているか否かを判定する（ステップＳ１０６）。更新開始判定部２３はカードＩＤを含む残高更新指示情報を記憶していないと判定した場合には、処理を終了する（ステップＳ１０７）。
更新開始判定部２３はカードＩＤを含む残高更新指示情報が検索できた場合、残高指示情報に含まれる更新指示識別番号ａと、残高記憶カード３に既に記録される過去の残高更新処理に対応する更新指示識別番号ｂとを取得する。更新開始判定部２３はそれら２つの更新指示識別番号ａ，ｂを比較する（ステップＳ１０８）。更新開始判定部２３は残高更新指示情報に含まれる更新指示識別番号ａが、残高記憶カード３から読み取った更新識別番号ｂより大きい場合（ａ＞ｂ）には、残高更新処理を行うと判定する（ステップＳ１０９）。
一方、更新開始判定部２３は残高更新指示情報に含まれる更新指示識別番号ａが、残高記憶カード３から読み取った更新識別番号ｂ以下である場合（ａ≦ｂ）には、残高更新処理を行わないと判定し処理を終了する（ステップＳ１０７）。更新開始判定部２３は残高更新処理を行うと判定した場合、カードＩＤを含む残高更新指示情報を更新制御部２４へ出力する。
【００３２】
更新制御部２４はカードＩＤに基づいて残高更新指示情報を取得する。更新制御部２４は残高更新指示情報に含まれる残高更新指示の種別を判定する。更新制御部２４は、残高更新指示の種別が入金である場合には、残高記憶カード３から残高を読み取り、その残高に残高更新指示情報に含まれる金額を加算して更新残高を算出する。更新制御部２４は更新残高を残高記憶カード３へ書き込む。一方、更新制御部２４は、残高更新指示の種別が出金である場合には、残高記憶カード３から残高を読み取り、その残高から残高更新指示情報に含まれる金額を減算して更新残高を算出する。更新制御部２４は更新残高を残高記憶カード３へ書き込む（ステップＳ１１０）。
更新制御部２４は、更新残高の残高記憶カード３への書き込みが終了すると残高更新指示情報から更新指示識別番号を取得し、その更新指示識別番号を残高記憶カード３へ書き込む。そして更新制御部２４は残高記憶カード３との間の残高更新処理を完了する。更新制御部２４は、残高更新処理が完了すると、完了通知を決済制御装置１へ送信する（ステップＳ１１１）。完了通知には残高更新処理に用いた更新指示識別番号が含まれる。なお更新制御部２４は決済制御装置１との間の通信接続の不良により完了通知を決済制御装置１へ送信できない場合には、所定の時間経過後に再送することを繰り返す。
【００３３】
決済制御装置１は完了通知を受信する。決済制御装置１の指示破棄要求部１５は完了通知に含まれる更新指示識別番号を取得し、その更新指示識別番号を含む破棄要求情報を生成する（ステップＳ１１２）。指示破棄要求部１５は破棄要求情報の配信先を決定する（ステップＳ１１３）。
指示破棄要求部１５は決定した配信先へ破棄要求情報を配信する（ステップＳ１１４）。破棄要求情報の配信先は、その破棄要求情報に含まれる更新指示識別番号を含む更新指示情報の配信先の各ＰＯＳ端末２であってよい。または破棄要求情報の配信先は、破棄要求情報に含まれる更新指示識別番号を含む更新指示情報に基づいて残高更新処理を行ったＰＯＳ端末２以外の、当該更新指示情報の配信先の全てのＰＯＳ端末２であってもよい。
廃棄要求情報を受信したＰＯＳ端末２はその廃棄要求情報から更新指示識別番号を読み取り、過去に受信した記憶した更新指示情報のうち、その更新指示識別番号を含む残高更新指示情報を削除する（ステップＳ１１５）。これにより、上記更新処理を行ったＰＯＳ端末２以外のＰＯＳ端末２において、同じ残高更新指示情報に基づく残高更新処理が行われることを防ぐことができる。
【００３４】
上述の処理によれば、決済制御装置１が事前に所定の範囲に設置されているＰＯＳ端末２の全てに残高更新指示情報を配信し記憶させる。また、決済制御装置１は、ＰＯＳ端末２のあるＰＯＳ端末２が残高記憶カード３と通信接続できた場合に、その残高記憶カード３の残高更新処理を行う。残高記憶カード３とＰＯＳ端末２とが通信接続した際に初めて決済制御装置１が残高更新処理をそのＰＳＯ端末２に指示する場合には、ＰＯＳ端末２と決済制御装置１との間に障害が発生している場合、残高記憶カード３の残高更新処理を行うことはできない。しかしながら上述の決済制御装置１とＰＯＳ端末２の処理によれば、事前に残高更新指示情報をＰＯＳ端末２に記憶させておく。このため、ＰＯＳ端末２と残高記憶カード３の通信接続時にＰＯＳ端末２は決済制御装置１と通信接続する必要が無い。したがって、ＰＯＳ端末２と決済制御装置１との間の通信接続が不安定な状況となることが多い地域においても、決済制御装置１の事前の残高更新指示によって、ＰＯＳ端末２がその残高更新指示に基づく残高記憶カード３への残高更新処理を適切に行うことができる。
【００３５】
また仮にＰＯＳ端末２と残高記憶カード３との間で残高更新処理が行われているときに、そのＰＯＳ端末２と決済制御装置１との間で通信障害が発生した場合を例示する。このような場合であっても、残高記憶カード３に新たに書き込まれる更新指示識別番号と、残高更新処理を行わない他のＰＯＳ端末２に記録される残高更新指示情報に含まれる更新指示識別番号の値が等しくなる。
この結果、他のＰＯＳ端末２においては、更新指示識別番号が等しい場合には残高更新処理を行わない。このため、他のＰＯＳ端末２において再び同じタイミングで配信された残高更新指示情報に基づく残高更新処理は行われることはない。
【００３６】
決済制御装置１の通信接続監視部１６は上述の残高更新指示情報が配信される前に、ＰＯＳ端末２との間の通信接続を監視する。通信接続監視部１６は通信接続が不良となるＰＯＳ端末２と、通信接続が良好なＰＯＳ端末２の情報を保持するデータテーブルを生成する。更新指示配信部１４は、このデータテーブルを確認して配信先と決定したＰＯＳ端末２のうち、実際に残高更新指示情報の配信先となる通信接続の良好なＰＯＳ端末２を特定してもよい。
【００３７】
更新指示配信部１４は、ユーザが残高記憶カード３を利用したＰＯＳ端末２の識別情報に基づいて、ユーザの移動範囲を推定し、その移動範囲に対応するエリアに設置されたＰＯＳ端末２の識別情報と、そのユーザの残高記憶カード３のカードＩＤとを対応付けたデータテーブルを作成してもよい。そして更新指示配信部１４は、残高更新指示情報を送信する際に、ユーザの移動範囲に対応するエリアに設置されたＰＯＳ端末２を、残高更新指示情報の配信先として決定してもよい。
【００３８】
ＰＯＳ端末２の制御部２１は同じカードＩＤを含む複数の異なる更新指示識別番号を含む残高更新指示情報を受信した場合、それら複数の更新指示識別番号を含む１つの残高更新指示情報に統合してもよい。例えば残高更新指示の種別が全て入金となる残高更新指示情報であって、同じカードＩＤを含む複数の残高更新指示情報を受信した場合を例示する。この場合、制御部２１は、複数の残高更新指示情報の全ての金額を合計した合計金額と、当該カードＩＤと、入金を示す残高更新指示の種別と、それらすべての残高更新指示情報に含まれていた各更新指示識別番号を含む新たな残高更新指示情報を生成して記憶する。そして、更新制御部２４は、最も番号の大きい更新指示識別番号と、残高記憶カード３に記録されている更新指示識別番号との比較結果に基づいて、その後の更新処理を行う。この場合、更新制御部２４は完了通知を決済制御装置１へ送信する場合、ＰＯＳ端末２において生成した残高更新指示情報に含まれる全ての更新指示識別番号を含む完了通知を送信するようにしてよい。これにより決済制御装置１の指示破棄要求部１５はそれら更新指示識別番号をそれぞれ含む各破棄要求情報を、ＰＯＳ端末２に配信すればよい。
【００３９】
同様に、残高更新指示の種別が全て出金となる残高更新指示情報であって、同じカードＩＤを含む複数の残高更新指示情報を受信した場合を例示する。この場合、制御部２１は、複数の残高更新指示情報の全ての金額を合計した合計金額と、当該カードＩＤと、出金を示す残高更新指示の種別と、それらすべての残高更新指示情報に含まれていた各更新指示識別番号を含む新たな残高更新指示情報を生成して記憶する。そして、更新制御部２４は、最も番号の大きい更新指示識別番号と、残高記憶カード３に記録されている更新指示識別番号との比較結果に基づいて、その後の更新処理を行う。
【００４０】
また、残高更新指示の種別が出金の残高更新指示情報と、入金の残高更新指示情報のそれぞれを受信し、それら残高更新指示情報に同じカードＩＤを含む複数の残高更新指示情報を受信した場合を例示する。この場合、制御部２１は、複数の残高更新指示情報の出金金額と入金金額を相殺して差引金額または加算金額を算出してもよい。制御部２１は、その差引金額または加算金額を含み、それらすべての残高更新指示情報に含まれていた各更新情報識別番号を含む新たな残高更新指示情報を生成して記憶するようにしてもよい。
【００４１】
上述の処理においては決済指示者が指示端末４を用いて任意に残高更新指示を決済制御装置１へ送信する場合について説明したが、決済指示者は定期的な残高更新指示を決済制御装置１に指示することもできる。この場合、指示端末４と決済制御装置１とは上述の処理と同様にして通信接続する。そして指示端末４は決済指示者の操作に基づいて、残高更新指示の種別（定期入金または定期出金）、金額、カードＩＤを少なくとも含む残高更新指示を決済制御装置１へ送信する（ステップＳ２０１）。
【００４２】
決済制御装置１の更新指示取得部１２は指示端末４より残高更新指示を取得する。更新指示取得部１２は、指示端末４との間でやりとりされるセッションの情報に基づいて、予めデータベース装置１０７等で記憶している複数の決済指示者のＩＤの中から、指示端末４を操作する決済指示者のＩＤを特定する。更新指示取得部１２は、残高更新指示に含まれる残高更新指示の種別、金額、カードＩＤ、及び、特定した決済指示者のＩＤを更新指示生成部１３へ出力する。
【００４３】
更新指示生成部１３は、残高更新指示の種別が定期入金または定期出金を示す場合には残高更新指示番号を決定すること無く、残高更新指示の種別、金額、カードＩＤを含む残高更新指示情報を生成する（ステップＳ２０２）。
【００４４】
更新指示配信部１４は、残高更新指示情報に含まれるカードＩＤに基づいて残高更新指示情報の配信先の複数のＰＯＳ端末２を特定する（ステップＳ２０３）。この配信の方法は上記の処理と同様であってよい。更新指示配信部１４は、特定した配信先の複数のＰＯＳ端末２へ残高更新指示情報を配信する（ステップＳ２０４）。
【００４５】
ＰＯＳ端末２の制御部２１は更新指示情報をＨＤＤ１０４等に記録する。ＰＯＳ端末２はその残高更新指示情報を用いた残高更新処理を、更新指示情報に含まれるカードＩＤに対応する残高記憶カード３と通信した場合に行う。なお残高更新指示情報は、複数のＰＯＳ端末２に配信される。このため、それら配信先の全てのＰＯＳ端末２において残高更新指示情報が記憶される。以下、あるＰＯＳ端末２において残高更新処理を行う場合の処理について説明する。
【００４６】
ＰＯＳ端末２と残高記憶カード３とが非接触通信を行うと、ＰＯＳ端末２の制御部２１は、更新開始判定部２３に対して非接触通信を行った残高記憶カード３の残高更新処理の有無の確認をするよう指示する。更新開始判定部２３は残高記憶カード３のカードＩＤを取得する。更新開始判定部２３はカードＩＤに基づいて、決済制御装置１がそのカードＩＤを含む残高更新指示情報を記憶しているか否かを判定する（ステップＳ２０５）。更新開始判定部２３はカードＩＤを含む残高更新指示情報を記憶していないと判定した場合には、処理を終了する（ステップＳ２０６）。
更新開始判定部２３はカードＩＤを含む残高更新指示情報が検索できた場合、その残高更新指示情報に含まれる残高更新指示の種別が定期入金または定期出金であることを検出する。
【００４７】
更新開始判定部２３は残高更新指示情報に含まれる残高更新指示の種別が定期入金（または定期出金）を示す場合、残高記憶カード３に、その残高更新指示の種別で示される定期入金（または定期出金）が完了しているか否かを問い合わせる（ステップＳ２０７）。残高更新指示の種別で示される、残高記憶カード３は定期入金（または定期出金）が完了しているかどうかの情報を記憶することができる。残高記憶カード３は定期入金（または定期出金）が完了していることを記憶している場合には完了をＰＯＳ端末２に通知する。残高記憶カード３は定期入金（または定期出金）が完了していることを記憶していない場合には未完了をＰＯＳ端末２通知する。更新開始判定部２３は完了が通知された場合には処理を終了する（ステップＳ２０６）。一方、更新開始判定部２３は未完了が通知された場合には、残高更新処理を行うと判定する（ステップＳ２０８）。そして更新開始判定部２３は、カードＩＤと残高更新指示情報を更新制御部２４へ出力する。
【００４８】
更新制御部２４はカードＩＤに基づいて残高更新指示情報を取得する。更新制御部２４は残高更新指示情報に含まれる残高更新指示の種別を判定する。更新制御部２４は、残高更新指示の種別が定期入金である場合には、残高記憶カード３から残高を読み取り、その残高に残高更新指示情報に含まれる金額を加算して更新残高を算出する。更新制御部２４は更新残高を残高記憶カード３へ書き込む。一方、更新制御部２４は、残高更新指示の種別が定期出金である場合には、残高記憶カード３から残高を読み取り、その残高から残高更新指示情報に含まれる金額を減算して更新残高を算出する。更新制御部２４は更新残高を残高記憶カード３へ書き込む（ステップＳ２０９）。
更新制御部２４は、更新残高の残高記憶カード３への書き込みが終了すると残高更新指示の完了情報を残高記憶カード３へ書き込む。なお残高更新指示の完了情報には、定期入金または定期出金の種別の他、当該種別として格納されるそれら定期入金や定期出金の属性（決済指示者の名称、残高更新処理を行う年月日）が共に残高記憶カード３に記録されてよい。
【００４９】
更新制御部２４は、更新残高、及び、残高更新指示の完了情報の残高記憶カード３への書き込みが終了すると、残高更新指示情報から残高更新指示の種別とカードＩＤを取得し、それら情報を含む完了通知を決済制御装置１へ送信する（ステップＳ２１０）。なお更新制御部２４は決済制御装置１との間の通信接続の不良により完了通知を決済制御装置１へ送信できない場合には、所定の時間経過後に再送することを繰り返す。
【００５０】
決済制御装置１は完了通知を受信する。決済制御装置１の指示破棄要求部１５は完了通知に含まれるカードＩＤと残高更新指示の種別とを取得し、それらを対応付けて定期残高更新テーブルに記録する。決済指示者は、指示端末４を操作してこの定期残高更新テーブルの情報を決済装置１から取得できるようにしてもよい。
【００５１】
決済制御装置１の指示破棄要求部１５は完了通知に含まれるカードＩＤと残高更新指示の種別を取得し、それらカードＩＤと残高更新指示の種別を含む破棄要求情報を生成する（ステップＳ２１１）。指示破棄要求部１５は破棄要求情報の配信先を決定する（ステップＳ２１２）。
指示破棄要求部１５は決定した配信先へ破棄要求情報を配信する（ステップＳ２１３）。破棄要求情報の配信先は、その破棄要求情報に含まれるカードＩＤと残高更新指示の種別とを含む更新指示情報の配信先の各ＰＯＳ端末２であってよい。または破棄要求情報の配信先は、破棄要求情報に含まれるカードＩＤと残高更新指示の種別とを含む更新指示情報に基づいて残高更新処理を行ったＰＯＳ端末２以外の、当該更新指示情報の配信先の全てのＰＯＳ端末２であってもよい。
廃棄要求情報を受信したＰＯＳ端末２はその廃棄要求情報からカードＩＤと残高更新指示の種別とを読み取り、過去に受信した記憶した残高更新指示情報のうち、それらカードＩＤと残高更新指示の種別を含む残高更新指示情報を削除する（ステップＳ２１４）。これにより、上記定期更新処理を行ったＰＯＳ端末２以外のＰＯＳ端末２において、同じ定期的な残高更新指示情報に基づく残高更新処理が行われることを防ぐことができる。
【００５２】
上述の処理によれば、定期入金や定期出金の場合には、残高更新処理において更新指示識別番号を用い。このため、その更新指示識別番号の生成や、更新指示識別番号間の比較処理を行わなくてよく、簡易に処理負荷なく、残高更新処理を行うことができる。
【００５３】
図６は決済制御装置の最小構成を示す図である。
決済制御装置１は、少なくとも、更新指示取得部１２と、更新指示配信部１４とを備えればよい。更新指示取得部１２は、カードＩＤと処理金額とを含む残高更新指示を取得する。更新指示配信部１４は、残高更新指示と当該残高更新指示に対応する更新指示識別番号とを含む残高更新指示情報を、ＰＯＳ端末２等の複数の端末装置それぞれに配信する。
【００５４】
図７は端末装置の最小構成を示す図である。
上述の処理のいては残高記憶カード３がＰＯＳ端末２と通信する場合の例について説明した。ただし、ＰＯＳ端末２とは異なるタブレット端末や携帯電話、小型無線装置などの端末装置２Ａが、残高記憶カード３と非接触通信を行うようにしてもよい。そして端末装置２Ａは少なくとも、更新開始判定部２３と、更新制御部２４とを備える。更新開始判定部２３は、カードＩＤが一致する残高記憶カード３との通信により当該残高記憶カード３から取得した当該残高記憶カードに過去に記録された更新指示識別番号と、残高更新指示情報に含まれる更新指示識別番号とを比較し、その比較に基づいて残高更新指示に対応する残高更新処理の開始を行うか否かを判定する。更新制御部２４は、残高更新処理の開始を行うと判定した場合にカードＩＤが一致する残高記憶カード３に記録されている残高と更新指示識別番号を、残高更新指示情報に基づいて更新する。
【００５５】
上記の実施形態の一部又は全部は、以下の付記のようにも記載されうるが、以下には限られない。
【００５６】
（付記１）
残高記憶媒体と無線通信する複数の端末装置と、前記複数の端末装置のそれぞれと通信接続された決済制御装置と、を有し、
前記決済制御装置が、
残高更新指示と当該残高更新指示に対応する更新指示識別番号と、を含む残高更新指示情報を前記端末装置それぞれに配信する更新指示配信部
を備え、
前記端末装置が、
前記残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う更新制御部、
を備える決済制御システム。
【００５７】
（付記２）
前記決済制御装置は、
前記残高更新指示ごとに前記更新指示識別番号を順に決定し、前記残高更新指示と前記決定した更新指示識別番号とを含む前記残高更新指示情報を生成する更新指示生成部を備える
付記１に記載の決済制御システム。
【００５８】
（付記３）
前記決済制御装置は、
前記端末装置から前記残高更新処理の完了通知を受信し、当該完了通知を送信した端末装置とは異なる端末装置に、当該更新指示識別番号を含む残高更新指示情報の破棄要求を送信する指示破棄要求部と、
を備える付記１または付記２に記載の決済制御システム。
【００５９】
（付記４）
前記決済制御装置は、
前記端末装置との通信接続の監視を行う通信接続監視部を備え、
前記更新指示配信部は、前記監視に基づいて自装置との間で通信接続が成功している前記端末装置に対して前記残高更新指示情報を送信する
付記１から付記３の何れか一つに記載の決済制御システム。
【００６０】
（付記５）
前記更新指示配信部は、前記残高記憶媒体の移動範囲に基づいて、前記残高記憶媒体の媒体識別情報を含む前記残高更新指示情報の送信先の複数の前記端末装置を決定する
付記１から付記４の何れか一つに記載の決済制御システム。
【００６１】
（付記６）
前記残高更新指示と、昇順に決定された更新指示識別番号とを含む残高更新指示情報が生成される場合、
前記端末装置の前記更新制御部は、
取得した前記残高記憶媒体に記録された前記更新指示識別番号よりも、前記残高更新指示情報に含まれる前記更新指示識別番号が大きい場合に、前記残高更新処理を行う
付記１から付記３の何れか一つに記載の決済制御システム。
【００６２】
（付記７）
残高更新指示と当該残高更新指示に対応する更新指示識別番号と、を含む残高更新指示情報を、残高記憶媒体と無線通信する複数の端末装置それぞれに配信する更新指示配信部、
を備える決済制御装置。
【００６３】
（付記８）
前記残高更新指示ごとに前記更新指示識別番号を順に決定し、前記残高更新指示と前記決定した更新指示識別番号とを含む前記残高更新指示情報を生成する更新指示生成部と、
を備える付記７に記載の決済制御装置。
【００６４】
（付記９）
前記端末装置から前記残高更新指示に対応する残高更新処理の完了通知を受信し、当該完了通知を送信した端末装置とは異なる端末装置に、当該更新指示識別番号を含む残高更新指示情報の破棄要求を送信する指示破棄要求部と、
を備える付記７または付記８に記載の決済制御装置。
【００６５】
（付記１０）
前記端末装置との通信接続の監視を行う通信接続監視部を備え、
前記更新指示配信部は、前記監視に基づいて自装置との間で通信接続が成功している前記端末装置に対して前記残高更新指示情報を送信する
付記７から付記９の何れか一つに記載の決済制御装置。
【００６６】
（付記１１）
前記更新指示配信部は、前記残高記憶媒体の移動範囲に基づいて、前記残高記憶媒体の媒体識別情報を含む前記残高更新指示情報の送信先の複数の前記端末装置を決定する
付記７から付記１０の何れか一つに記載の決済制御装置。
【００６７】
（付記１２）
決済制御装置から、残高更新指示と当該残高更新指示に対応する更新指示識別番号とを含む残高更新指示情報を受信する更新指示受信部と、
残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う更新制御部と、
を備える端末装置。
【００６８】
（付記１３）
前記更新指示受信部は、前記決済制御装置から、前記残高更新指示を取得する度に昇順に決定された前記更新指示識別番号と、前記残高更新指示とを含む前記残高更新指示情報を受信し、
前記更新制御部は、取得した前記残高記憶媒体に記録された前記更新指示識別番号よりも、前記残高更新指示情報に含まれる前記更新指示識別番号が大きい場合に、前記残高更新処理を行う
付記１２に記載の端末装置。
【００６９】
（付記１４）
残高記憶媒体と無線通信する複数の端末装置と、前記複数の端末装置のそれぞれと通信接続された決済制御装置と、を有する決済制御システムの決済制御方法において、
前記決済制御装置が、
残高更新指示と当該残高更新指示に対応する更新指示識別番号と、を含む残高更新指示情報を前記端末装置それぞれに配信し、
前記端末装置が、
前記残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う
決済制御方法。
【００７０】
（付記１５）
残高更新指示と当該残高更新指示に対応する更新指示識別番号と、を含む残高更新指示情報を、残高記憶媒体と無線通信する複数の端末装置それぞれに配信する
決済制御方法。
【００７１】
（付記１６）
決済制御装置から、残高更新指示と当該残高更新指示に対応する更新指示識別番号とを含む残高更新指示情報を受信し、
残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う
処理方法。
【００７２】
（付記１７）
決済制御装置のコンピュータに、
残高更新指示と当該残高更新指示に対応する更新指示識別番号と、を含む残高更新指示情報を、残高記憶媒体と無線通信する複数の端末装置それぞれに配信する、
処理を実行させるプログラム。
【００７３】
（付記１８）
端末装置のコンピュータに、
決済制御装置から、残高更新指示と当該残高更新指示に対応する更新指示識別番号とを含む残高更新指示情報を受信し、
残高記憶媒体から取得した当該残高記憶媒体に記録された更新指示識別番号と、前記残高更新指示情報に含まれる前記更新指示識別番号との比較に基づいて前記残高更新指示に対応する残高更新処理を行う、
処理を実行させるプログラム。
【００７４】
上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００７５】
上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７６】
この出願は、２０１７年９月２９日に日本出願された特願２０１７−１８９５５７号を基礎とする優先権を主張し、その開示の全てをここに取り込む。
【産業上の利用可能性】
【００７７】
本発明によれば、端末装置と決済制御装置との間の通信接続が不安定な状況となることが多い地域においても、決済制御装置が指示を受けた残高更新指示に基づいて、決済制御装置は残高記憶カードの残高を適切に更新することができる。
【符号の説明】
【００７８】
１・・・決済制御装置、２・・・ＰＯＳ端末、３・・・残高記憶カード、４・・・指示端末、１１・・・制御部、１２・・・更新指示取得部、１３・・・更新指示生成部、１４・・・更新指示配信部、１５・・・指示破棄要求部、１６・・・通信接続監視部、２１・・・制御部、２２・・・ＰＯＳ処理部、２３・・・更新開始判定部、２４・・・更新制御部
【図１】
2019064635.tif 000003
【図２】
2019064635.tif 000004
【図３】
2019064635.tif 000005
【図４】
2019064635.tif 000006
【図５】
2019064635.tif 000007
【図６】
2019064635.tif 000008
【図７】
2019064635.tif 000009
【国際調査報告】
2019064635.tif 000010
2019064635.tif 000011